(57)【要約】【課題】  過去の履歴情報を検索して番組選択を行う場合でも、大容量のメモリを必要とすることなく、検索処理の負荷を軽減して、迅速な番組選択を可能にする。【解決手段】  デジタル受信機１０のＣＰＵ１４は、チャンネル選択指令に応じたデジタル放送を選択的に受信する放送電波受信処理回路１１によって選択された番組を特定するＥＰＧデータに基づいて、視聴頻度の順位を分析し、分析された順位が所定順位以上の高いＥＰＧデータをＥＰＧ１用メモリ１６に記憶し、ＥＰＧデータに基づく番組選択の指令が入力されたときは、その指令に係るＥＰＧデータの順位が所定順位以上の場合は、ＥＰＧ１用メモリ１６を検索して、検索結果のＥＰＧデータに基づくチャンネル選択指令を放送電波受信処理回路１１に与える。【選択図】  図１
2007318478.tif 000002
【特許請求の範囲】
【請求項１】
チャンネル選択指令に応じたデジタル放送を選択的に受信する選択受信手段と、
前記選択受信手段によって選択された番組を特定する番組特定情報に基づいて視聴頻度の順位を分析する情報分析手段と、
前記情報分析手段によって分析された順位が所定順位以上の番組特定情報を第１の記憶手段に記憶する記憶制御手段と、
番組特定情報に基づく番組選択の指令が入力されたときは、当該指令に係る番組特定情報の順位が前記所定順位以上の場合は前記第１の記憶手段を検索して、検索結果の番組特定情報に基づくチャンネル選択指令を前記選択受信手段に与える情報検索手段と、
を備えたことを特徴とする放送受信装置。
【請求項２】
前記記憶制御手段は、前記情報分析手段によって分析された番組特定情報の順位が前記所定順位未満の場合には、当該番組特定情報を無線信号によって情報を送受信するリモートコントロール装置に送信して、当該リモートコントロール装置内の第２の記憶手段に記憶させ、前記情報検索手段は、番組特定情報に基づく番組選択の指令が入力されたときは、当該指令に係る番組特定情報の順位が前記所定順位以上の場合は前記第１の記憶手段を検索し、当該指令に係る番組特定情報の順位が前記所定順位未満の場合には前記リモートコントロール装置に検索指令を送信して前記第２の記憶手段を検索させ、検索結果の番組特定情報に基づくチャンネル選択指令を前記選択受信手段に与えることを特徴とする請求項１に記載の放送受信装置。
【請求項３】
前記情報分析手段は、番組特定情報における番組のジャンルの順位を分析することを特徴とする請求項１又は２に記載の放送受信装置。
【請求項４】
前記情報分析手段は、分析した番組特定情報の順位を番組名と共に表示手段に表示することを特徴とする請求項１又は２に記載の放送受信装置。
【請求項５】
前記情報分析手段は、番組名と共に当該番組の放送日時を表示することを特徴とする請求項４に記載の放送受信装置。
【請求項６】
チャンネル選択指令に応じたデジタル放送を選択的に受信するステップＡと、
前記ステップＡによって選択された番組を特定する番組特定情報に基づいて視聴頻度の順位を分析するステップＢと、
前記ステップＢによって分析された順位が所定順位以上の番組特定情報を第１の記憶手段に記憶するステップＣと、
番組特定情報に基づく番組選択の指令が入力されたときは、当該指令に係る番組特定情報の順位が前記所定順位以上の場合は前記第１の記憶手段を検索して、検索結果の番組特定情報に基づくチャンネル選択指令を前記ステップＡに与えるステップＤと、
をコンピュータに実行させることを特徴とする放送受信処理のプログラム。
【請求項７】
前記ステップＣは、前記ステップＢによって分析された番組特定情報の順位が前記所定順位未満の場合には、当該番組特定情報を無線信号によって情報を送受信するリモートコントロール装置に送信して、当該リモートコントロール装置内の第２の記憶手段に記憶させ、前記ステップＤは、番組特定情報に基づく番組選択の指令が入力されたときは、当該指令に係る番組特定情報の順位が前記所定順位以上の場合は前記第１の記憶手段を検索し、当該指令に係る番組特定情報の順位が前記所定順位未満の場合には前記リモートコントロール装置に検索指令を送信して前記第２の記憶手段を検索させ、検索結果の番組特定情報に基づくチャンネル選択指令を前記ステップＡに与えることを特徴とする請求項６に記載の放送受信処理のプログラム。
【請求項８】
前記ステップＢは、番組特定情報における番組のジャンルの順位を分析することを特徴とする請求項６又は７に記載の放送受信処理のプログラム。
【請求項９】
前記ステップＢは、分析した番組特定情報の順位を番組名と共に表示手段に表示することを特徴とする請求項６又は７に記載の放送受信処理のプログラム。
【請求項１０】
前記ステップＢは、番組名と共に当該番組の放送日時を表示することを特徴とする請求項９に記載の放送受信処理のプログラム。
【発明の詳細な説明】
【技術分野】
【０００１】
本発明は、放送受信装置および放送受信処理のプログラムに関し、特に、デジタル放送の番組選択における視聴番組の履歴情報を蓄積する放送受信装置および放送受信処理のプログラムに関するものである。
【背景技術】
【０００２】
衛星デジタル放送および地上波デジタル放送においては、番組の映像情報および音声情報に多重化してデータ放送のサービスを提供している。データ放送の中には、番組を選択するための電子番組案内情報であるＥＰＧデータがある。ＥＰＧデータには、放送される番組の内容と識別情報（ジャンル、キーワードなど）、チャンネル、放送時刻などが記述されているので、ＥＰＧデータを利用することにより番組検索、視聴、予約録画が可能である。ＥＰＧを有効に利用するための提案も多くなされている。
例えば、ある提案の情報処理装置においては、ユーザによって番組のジャンルが設定されたとき、ＥＰＧデータ記憶部に記憶されているＥＰＧデータを参照し、そのジャンルに対応する番組を抽出する。そして、抽出した番組からなる番組リストを作成し、リスト情報記憶部に記憶させる。表示部に表示されているショートカットアイコンが操作されたとき、番組リストに登録されている番組を、所定の位置を基準として、その先頭に登録されている番組から順に、表示する番組として選択し、選択した番組のチャンネルを選局させ、その映像を表示部に表示させるようになっている。（特許文献１参照）
また、ある提案のテレビジョン放送受信装置によれば、時間帯視聴頻度によらない、ユーザの本来の嗜好に基づいた嗜好度の計算を行うことにより、自動録画処理における、ユーザの嗜好の反映度を高める。この提案において、リモコン信号受信処理部は、ユーザのリモコンによる選局の操作を行うと共に、リモコン信号を操作履歴作成処理部に供給する。操作履歴作成処理部は、機器の操作履歴を作成して蓄積装置に供給する。ＥＰＧ取得処理部では、映像信号から受信した番組情報やＥＰＧ情報を抽出して蓄積装置に供給する。蓄積されたＥＰＧ情報と過去の操作履歴情報を番組優先情報作成処理部に供給する。番組優先情報作成処理部は、供給された情報に基づき特定の日時における番組間の優先情報を作成する。作成された情報を基に自動録画処理部で自動録画を行う。（特許文献２参照）
【特許文献１】特開２００２−３５４３６５号公報
【特許文献２】特開２００５−１５９９７８号公報
【発明の開示】
【発明が解決しようとする課題】
【０００３】
上記特許文献を含む従来の受信装置においては、ＥＰＧ情報を記憶するためのフラッシュＲＯＭなどの不揮発性メモリを必要とする。しかしながら、特に特許文献２のように、定期的に送信されるＥＰＧ情報とユーザの操作履歴情報とを蓄積して選局の操作を行う場合には、たとえわずかな時間だけ視聴した番組でも、その履歴情報が蓄積されるので、大容量のメモリが必要になるのでコストアップの要因になる上、ＣＰＵなどの制御手段によるメモリの検索処理の負荷も次第に重くなり、他の処理に支障をきたすなどの問題があった。
本発明は、このような従来の課題を解決するためのものであり、過去の履歴情報を検索して番組選択を行う場合でも、大容量のメモリを必要とすることなく、検索処理の負荷を軽減して、迅速な番組選択を可能にすることを目的とする。
【課題を解決するための手段】
【０００４】
請求項１に記載の放送受信装置は、チャンネル選択指令に応じたデジタル放送を選択的に受信する選択受信手段（実施形態においては、図１の放送電波受信処理回路１１に相当する）と、選択受信手段によって選択された番組を特定する番組特定情報（実施形態においては、ＥＰＧデータに相当する）に基づいて視聴頻度の順位を分析する情報分析手段（実施形態においては、図１のＣＰＵ１４に相当する）と、情報分析手段によって分析された順位が所定順位以上（実施形態においては、図８の順位１乃至３の範囲に相当する）の番組特定情報を第１の記憶手段（実施形態においては、図１のＥＰＧ１用メモリ１６に相当する）に記憶する記憶制御手段（実施形態においては、図１のＣＰＵ１４に相当する）と、番組特定情報に基づく番組選択の指令が入力されたときは、当該指令に係る番組特定情報の順位が所定順位以上の場合は第１の記憶手段を検索して、検索結果の番組特定情報に基づくチャンネル選択指令を選択受信手段に与える情報検索手段（実施形態においては、図１のＣＰＵ１４に相当する）と、を備えた構成になっている。
【０００５】
請求項１の放送受信装置において、請求項２に記載したように、記憶制御手段は、情報分析手段によって分析された番組特定情報の順位が所定順位未満（実施形態においては、図８の順位４以下の範囲に相当する）の場合には、当該番組特定情報を無線信号によって情報を送受信するリモートコントロール装置に送信して、当該リモートコントロール装置内の第２の記憶手段（実施形態においては、図２のＥＰＧ２用メモリ２２に相当する）に記憶させ、情報検索手段は、番組特定情報に基づく番組選択の指令が入力されたときは、当該指令に係る番組特定情報の順位が所定順位以上の場合は第１の記憶手段を検索し、当該指令に係る番組特定情報の順位が所定順位未満の場合にはリモートコントロール装置に検索指令を送信して第２の記憶手段を検索させ、検索結果の番組特定情報に基づくチャンネル選択指令を選択受信手段に与えるような構成にしてもよい。
【０００６】
請求項１又は２の放送受信装置において、請求項３に記載したように、情報分析手段は、番組特定情報における番組のジャンルの順位を分析するような構成にしてもよい。
請求項１又は２の放送受信装置において、請求項４に記載したように、情報分析手段は、分析した番組特定情報の順位を番組名と共に表示手段（実施形態においては、図１の表示部回路１３に相当する）に表示するような構成にしてもよい。
請求項４の放送受信装置において、請求項５に記載したように、情報分析手段は、番組名と共に当該番組の放送日時を表示するような構成にしてもよい。
【０００７】
請求項６に記載の放送受信処理のプログラムは、チャンネル選択指令に応じたデジタル放送を選択的に受信するステップＡと、ステップＡによって選択された番組を特定する番組特定情報（実施形態においては、ＥＰＧデータに相当する）に基づいて視聴頻度の順位を分析するステップＢと、ステップＢによって分析された順位が所定順位以上（実施形態においては、図８の順位１乃至３の範囲に相当する）の番組特定情報を第１の記憶手段（実施形態においては、図１のＥＰＧ１用メモリ１６に相当する）に記憶するステップＣと、番組特定情報に基づく番組選択の指令が入力されたときは、当該指令に係る番組特定情報の順位が所定順位以上の場合は第１の記憶手段を検索して、検索結果の番組特定情報に基づくチャンネル選択指令をステップＡに与えるステップＤと、をコンピュータ（実施形態においては、図１のＣＰＵ１４に相当する）に実行させる。
【０００８】
請求項６の放送受信処理のプログラムにおいて、請求項７に記載したように、ステップＣは、ステップＢによって分析された番組特定情報の順位が所定順位未満（実施形態においては、図８の順位４以下の範囲に相当する）の場合には、当該番組特定情報を無線信号によって情報を送受信するリモートコントロール装置に送信して、当該リモートコントロール装置内の第２の記憶手段（実施形態においては、図２のＥＰＧ２用メモリ２２に相当する）に記憶させ、ステップＤは、番組特定情報に基づく番組選択の指令が入力されたときは、当該指令に係る番組特定情報の順位が所定順位以上の場合は第１の記憶手段を検索し、当該指令に係る番組特定情報の順位が所定順位未満の場合にはリモートコントロール装置に検索指令を送信して第２の記憶手段を検索させ、検索結果の番組特定情報に基づくチャンネル選択指令をステップＡに与えるような構成にしてもよい。
【０００９】
請求項６又は７の放送受信処理のプログラムにおいて、請求項８に記載したように、ステップＢは、番組特定情報における番組のジャンルの順位を分析するような構成にしてもよい。
請求項６又は７の放送受信処理のプログラムにおいて、請求項９に記載したように、ステップＢは、分析した番組特定情報の順位を番組名と共に表示手段（実施形態においては、図１の表示部回路１３に相当する）に表示するような構成にしてもよい。
請求項９の放送受信処理のプログラムにおいて、請求項１０に記載したように、ステップＢは、番組名と共に当該番組の放送日時を表示するような構成にしてもよい。
【発明の効果】
【００１０】
本発明の装置によれば、過去の履歴情報を検索して番組選択を行う場合でも、大容量のメモリを必要とすることなく、検索処理の負荷を軽減して、迅速な番組選択を可能にするという効果が得られる。
【発明を実施するための最良の形態】
【００１１】
以下、本発明の放送受信装置の実施形態について、図１のデジタル受信機１０、図２のリモートコントロール装置（以下、「リモコン」という）２０、図３乃至図７のフローチャート、および図８を参照して詳細に説明する。
図１は、デジタル受信機１０の内部構成を示すブロック図である。デジタル受信機１０は、放送電波受信処理回路１１、放送／ＥＰＧ画面切替処理回路１２、表示部回路１３、ＣＰＵ（システムコントローラ）１４、ＥＰＧデータ抽出処理回路１５、ＥＰＧ１用メモリ１６、学習処理回路１７、送信（出力）回路１８、受信（入力）回路１９、および、スイッチ回路など（図示せず）で構成されている。
【００１２】
図１において、放送電波受信処理回路１１は、アンテナ１から受信した放送電波の中から、ＣＰＵ１４からのチャンネル選択信号に応じたチャンネルの放送電波を選択的に受信して、増幅処理、復調処理、復号化処理、番組の映像情報、音声情報、ＥＰＧデータの映像情報を分離する処理などを行って、番組の映像情報およびＥＰＧの映像情報を放送／ＥＰＧ画面切替処理回路１２に供給し、番組の音声情報を音声回路（図示せず）に供給し、データ放送情報をＣＰＵ１４に供給する。放送／ＥＰＧ画面切替処理回路１２は、ＣＰＵ１４からの切替信号に応じて、番組又はＥＰＧデータの映像情報を表示部回路１３に供給する。ＥＰＧデータ抽出処理回路１５は、ＥＰＧデータに含まれているジャンル、チャンネル、番組の放送日、開始時刻、終了時刻などの時間情報をＣＰＵ１４に供給する。ＥＰＧ１用メモリ１６は、フラッシュＲＯＭなどの不揮発性メモリで構成され、ＥＰＧデータ抽出処理回路１５によってＣＰＵ１４に供給されたＥＰＧデータの中から、ＣＰＵ１４によって選択されたＥＰＧデータ（これを「ＥＰＧ１データ」という）を履歴情報として記憶する。学習処理回路１７は、ＥＰＧデータ抽出処理回路１５によってＣＰＵ１４に供給されたＥＰＧデータの視聴頻度を学習して、番組のチャンネルおよびジャンルに基づくランキング（順位）を決定する。送信回路１８は、ＣＰＵ１４から供給されるコマンドやデータを赤外線や他の無線信号によってリモコン２０に送信する。受信回路１９は、リモコン２０からのコマンドやデータを受信してＣＰＵ１４に供給する。
【００１３】
図２は、リモコン２０の構成を示すブロック図である。リモコン２０は、ＣＰＵ（システムコントローラ）２１、ＥＰＧ２用メモリ２２、キー操作部２３、ドライブ回路２４、送信／受信部２５などで構成されている。図２において、ＥＰＧ２用メモリ２２は、ＣＰＵ２１から供給されるＥＰＧデータ（これを「ＥＰＧ２データ」という）を記憶する。キー操作部２３は、電源スイッチ、チャンネル選択スイッチ、ＥＰＧ取得スイッチ、ＥＰＧ表示スイッチ、その他のスイッチで構成され、操作に応じたコマンドやデータをＣＰＵ２１に入力する。なお、デジタル受信機１０本体にも、リモコン２０と同じキー操作部が設けられているが、説明の簡便のために、リモコン２０のキー操作に応じてデジタル受信機１０が制御されるものとする。ドライブ回路２４は、ＣＰＵ２１からデジタル受信機１０に送信するコマンドやデータを変調して送信／受信部２５に供給し、送信／受信部２５によってデジタル受信機１０から受信したコマンドやデータを復調してＣＰＵ２１に供給する。
【００１４】
次に、実施形態の放送受信装置の動作について、リモコン２０のＣＰＵ２１によって実行される図３のフローチャート、デジタル受信機１０のＣＰＵ１４によって実行される図４乃至図７のフローチャート、および、デジタル受信機１０の表示部回路１３に表示されるＥＰＧ表示データを示した図８を参照して説明する。
図３において、リモコン２０のＣＰＵ２１は、所定のイニシャライズ（ステップＳＡ１）の後、デジタル受信機１０からＥＰＧ２データを受信したか否かを判別し（ステップＳＡ２）、ＥＰＧ２データを受信したときはＥＰＧ２用メモリ２２にストアする（ステップＳＡ３）。ＥＰＧ２データを受信しない場合には、ＣＰＵ２１は、デジタル受信機１０から特定の受信ランキングを受信したか否かを判別し（ステップＳＡ４）、受信ランキングを受信したときは、ＥＰＧ２用メモリ２２より対応するＥＰＧ２データを抽出して（ステップＳＡ５）、ドライブ回路２４および送信／受信部２５を介して、デジタル受信機１０にそのＥＰＧ２データを送付する（ステップＳＡ６）。ＣＰＵ２１は、デジタル受信機１０からＥＰＧ２データも受信ランキングも受信しない場合には、キー操作部２３のキー操作がされたか否かを判別し（ステップＳＡ７）、キー操作がされたときは、その操作内容、例えば、電源オン、チャンネル選択、ＥＰＧ取得、ＥＰＧ表示、処理の終了、電源オフなどをデジタル受信機１０に送信する（ステップＳＡ８）。そして、ステップＳＡ２に移行して、ＥＰＧ２データの受信の有無を判別する。
【００１５】
図４において、デジタル受信機１０のＣＰＵ１４は、所定のイニシャライズ（ステップＳＢ１）の後、リモコン２０から入力される操作内容に応じた処理を行う。電源オンを受信したか否かを判別し（ステップＳＢ２）、電源オンを受信したときは、放送電波受信処理回路１１、表示部回路１３等をオンにして（ステップＳＢ３）、放送／ＥＰＧ画面切替処理回路１２に対して、そのとき設定されているチャンネルの放送画面を選択する切替処理を行う（ステップＳＢ４）。次に、ＣＰＵ１４は、ＥＰＧ取得スイッチオンのコマンドを受信したか否かを判別し（ステップＳＢ５）、このコマンドを受信したときは、ＥＰＧ取得処理を実行する（ステップＳＢ６）。あるいは、ＣＰＵ１４は、ＥＰＧ表示スイッチオンのコマンドを受信したか否かを判別し（ステップＳＢ７）、このコマンドを受信したときは、ＥＰＧ表示処理を実行する（ステップＳＢ８）。
【００１６】
あるいは、ＣＰＵ１４は、図５のフローチャートにおいて、チャンネル選択データを受信したか否かを判別し（ステップＳＢ９）、このデータを受信したときは、チャンネル選択データに対応した周波数にセットするように放送電波受信処理回路１１に対してチャンネル選択信号を与える（ステップＳＢ１０）。ＣＰＵ１４は、放送電波受信処理回路１１によって受信された番組に関する情報があるか否かを判別し（ステップＳＢ１１）、そのような情報がある場合には、その情報を学習処理回路１７に送付する（ステップＳＢ１２）。ＣＰＵ１４はまた、電源オフを受信したか否かを判別し（ステップＳＢ１３）、電源オフを受信しない場合には、図４のステップＳＢ５において、ＥＰＧ取得オンの受信の有無を判別するが、電源オフを受信したときは、放送電波受信処理回路１１、表示部回路１３等をオフにして（ステップＳＢ１４）、図４のステップＳＢ２において、再び、電源オンの受信の有無を判別する。
【００１７】
図６は、図４のステップＳＢ６のＥＰＧ取得処理のフローチャートである。ＣＰＵ１４は、チャンネル選択データを受信したか否かを判別し（ステップＳＣ１）、このデータを受信したときは、チャンネル選択データに対応した周波数にセットするように放送電波受信処理回路１１に対してチャンネル選択信号を与える（ステップＳＣ２）。ＣＰＵ１４は、放送電波受信処理回路１１によって選択されたチャンネルが受信可能なチャンネルであるか否かを判別し（ステップＳＣ３）、受信可能である場合には、ＥＰＧ情報を取得して（ステップＳＣ４）、学習処理回路１７に対して動作開始を指示する（ステップＳＣ５）。
【００１８】
ＣＰＵ１４は、学習処理回路１７の動作に基づいて、放送電波受信処理回路１１によって選択されたチャンネルの番組が過去の視聴ランキングの高いものか否かを判別し（ステップＳＣ６）、視聴ランキングの高いものである場合には、そのＥＰＧデータをＥＰＧ１用メモリ１６にストアし（ステップＳＣ７）、視聴ランキングの低いものである場合には、そのＥＰＧデータをリモコン２０に送信する（ステップＳＣ８）。そして、全てのＥＰＧ情報を取得したか否かを判別し（ステップＳＣ９）、まだ残っているＥＰＧ情報がある場合には、ステップＳＣ４においてＥＰＧ情報を取得する。
【００１９】
一方、放送電波受信処理回路１１によって選択されたチャンネルが、ステップＳＣ３において受信可能でない場合には、ＣＰＵ１４は、受信不可通知のメッセージを表示部回路１３に表示する（ステップＳＣ１０）。この後、又は、ステップＳＣ９において全てのＥＰＧ情報を取得したときは、ＣＰＵ１４は、ステップＳＣ１において、チャンネル選択データの受信の有無を判別するが、チャンネル選択データを受信しない場合には、終了スイッチオンのコマンドを受信したか否かを判別し（ステップＳＣ１１）、このコマンドを受信したときは、図４のフローチャートに戻る。
【００２０】
図７は、図４のステップＳＢ８のＥＰＧ表示処理のフローチャートである。ＣＰＵ１４は、学習処理回路１７より受信ランキングデータを受信して（ステップＳＤ１）、その受信ランキングのＥＰＧ表示データを表示部回路１３に表示する（ステップＳＤ２）。図８は、そのＥＰＧ表示データの一例を示す図である。図８に示すように、過去に視聴されたジャンル、チャンネル、番組名、時間情報（番組の放送日、開始時刻および終了時刻）が順位に従って表示される。この場合において、順位１乃至３までのランキングの高いＥＰＧデータは、ＥＰＧ１データとしてデジタル受信機１０内のＥＰＧ１用メモリ１６にストアされており、順位４以下のランキングの低いＥＰＧデータは、ＥＰＧ２データとしてリモコン２０に送信されてＥＰＧ２用メモリ２２にストアされている。
【００２１】
ＣＰＵ１４は、ＥＰＧ表示データの中の特定の受信ランキングが選択されたか否かを判別し（ステップＳＤ３）、受信ランキングが選択されたときは、その受信ランキングが高い（順位が１乃至３の範囲）か否かを判別し（ステップＳＤ４）、受信ランキングが高い場合には、内部のＥＰＧ１用メモリ１６により対応するＥＰＧデータを抽出し（ステップＳＤ５）、受信ランキングが低い場合には、リモコン２０に選択された受信ランキングを送付して（ステップＳＤ６）、対応するＥＰＧ２データを受信する（ステップＳＤ７）。
【００２２】
ＣＰＵ１４は、放送／ＥＰＧ画面切替処理回路１２に対して、ＥＰＧ画面を表示する切替指示を行って（ステップＳＤ８）、抽出したＥＰＧ１データ又は受信したＥＰＧ２データを表示部回路１３に表示する（ステップＳＤ９）。この後、ＣＰＵ１４は、視聴や録画予約などのユーザの指令に応じてＥＰＧ画面に基づく処理を行う（ステップＳＤ１０）。そして、終了スイッチオンのコマンドを受信したか否かを判別し（ステップＳＤ１１）、このコマンドを受信したときは、図４のフローチャートに戻る。
【００２３】
以上のように、この実施形態によれば、デジタル受信機１０のＣＰＵ１４は、チャンネル選択指令に応じたデジタル放送を選択的に受信する放送電波受信処理回路１１によって選択された番組を特定するＥＰＧデータに基づいて、視聴頻度の順位を分析し、分析された順位が所定順位以上の高い（順位１乃至３までの範囲の）ＥＰＧデータをＥＰＧ１用メモリ１６に記憶し、ＥＰＧデータに基づく番組選択の指令が入力されたときは、その指令に係るＥＰＧデータの順位が所定順位以上の場合は、ＥＰＧ１用メモリ１６を検索して、検索結果のＥＰＧデータに基づくチャンネル選択指令を放送電波受信処理回路１１に与える。
したがって、視聴頻度の高い番組だけをＥＰＧ１用メモリ１６に記憶するので、過去の履歴情報を検索して番組選択を行う場合でも、大容量のメモリを必要とすることなく、検索処理の負荷を軽減して、迅速な番組選択を可能にする。
【００２４】
この場合において、ＣＰＵ１４は、分析された順位が所定順位未満の低い（順位４以下の範囲の）ＥＰＧデータについては、リモコン２０に送信して、リモコン２０のＥＰＧ２用メモリ２２に記憶し、ＥＰＧデータに基づく番組選択の指令が入力されたときは、その指令に係るＥＰＧデータの順位が所定順位以上の場合は、ＥＰＧ１用メモリ１６を検索し、その指令に係るＥＰＧデータの順位が所定順位未満の場合は、リモコン２０に検索指令を送信して、ＥＰＧ２用メモリ２２を検索させ、いずれかの検索結果のＥＰＧデータに基づくチャンネル選択指令を放送電波受信処理回路１１に与える。
したがって、視聴頻度の低い番組についても、そのＥＰＧデータをリモコン２０に記憶することで検索を可能にすると共に、デジタル受信機１０側には大容量のメモリを必要としない。
【００２５】
なお、上記実施形態においては、デジタル受信機１０およびリモコン２０にあらかじめ記憶された放送受信処理のプログラムを実行する装置の発明について説明したが、フレキシブルディスク（ＦＤ）、ＣＤ、メモリカードなどの外部記憶媒体に記録されている処理のプログラムをハードディスクやフラッシュＲＯＭなどの書き込み可能な不揮発性メモリにインストールするか、又は、インターネットなどのネットワークからダウンロードした処理のプログラムを不揮発性メモリにインストールして、そのプログラムを実行することも可能である。この場合には、プログラムの発明やそのプログラムを記録した記録媒体の発明を実現できる。
【００２６】
すなわち、本発明による放送受信処理のプログラムは、
チャンネル選択指令に応じたデジタル放送を選択的に受信するステップＡと、前記ステップＡによって選択された番組を特定する番組特定情報に基づいて視聴頻度の順位を分析するステップＢと、前記ステップＢによって分析された順位が所定順位以上の番組特定情報を第１の記憶手段に記憶するステップＣと、番組特定情報に基づく番組選択の指令が入力されたときは、当該指令に係る番組特定情報の順位が前記所定順位以上の場合は前記第１の記憶手段を検索して、検索結果の番組特定情報に基づくチャンネル選択指令を前記ステップＡに与えるステップＤと、をコンピュータに実行させる。
【００２７】
前記ステップＣは、前記ステップＢによって分析された番組特定情報の順位が前記所定順位未満の場合には、当該番組特定情報を無線信号によって情報を送受信するリモートコントロール装置に送信して、当該リモートコントロール装置内の第２の記憶手段に記憶させ、前記ステップＤは、番組特定情報に基づく番組選択の指令が入力されたときは、当該指令に係る番組特定情報の順位が前記所定順位以上の場合は前記第１の記憶手段を検索し、当該指令に係る番組特定情報の順位が前記所定順位未満の場合には前記リモートコントロール装置に検索指令を送信して前記第２の記憶手段を検索させ、検索結果の番組特定情報に基づくチャンネル選択指令を前記ステップＡに与える。
【００２８】
前記ステップＢは、番組特定情報における番組のジャンルの順位を分析する。
前記ステップＢは、分析した番組特定情報の順位を番組名と共に表示手段に表示する。
前記ステップＢは、番組名と共に当該番組の放送日時を表示する。
【図面の簡単な説明】
【００２９】
【図１】本発明の実施形態におけるデジタル受信機の構成を示すブロック図。
【図２】本発明の実施形態におけるリモートコントロール装置の構成を示すブロック図。
【図３】図２のリモートコントロール装置のＣＰＵによって実行されるフローチャート。
【図４】図１のデジタル受信機のＣＰＵによって実行されるフローチャート。
【図５】図４に続くデジタル受信機のＣＰＵのフローチャート。
【図６】図４におけるＥＰＧ取得処理のフローチャート。
【図７】図４におけるＥＰＧ表示処理のフローチャート。
【図８】図１の表示部回路に表示されるＥＰＧ表示データを示す図。
【符号の説明】
【００３０】
１０  デジタル受信機
１１  放送電波受信処理回路
１２  放送／ＥＰＧ画面切替回路
１３  表示部回路
１４  ＣＰＵ（システムコントローラ）
１５  ＥＰＧデータ抽出回路
１６  ＥＰＧ１用メモリ
１７  学習処理回路
１８  送信（出力）回路１８
１９  受信（入力）回路
２０  リモートコントロール装置
２１  ＣＰＵ（システムコントローラ）
２２  ＥＰＧ２用メモリ
２３  キー操作部
２４  ドライブ回路
２５  送信／受信部
【図１】
2007318478.tif 000003
【図２】
2007318478.tif 000004
【図３】
2007318478.tif 000005
【図４】
2007318478.tif 000006
【図５】
2007318478.tif 000007
【図６】
2007318478.tif 000008
【図７】
2007318478.tif 000009
【図８】
2007318478.tif 000010